(57)【要約】【課題】  容易に高さ調整を行って撮像できる自動撮像装置を提供すること。【解決手段】  撮像部１と、被写体を照らす照明部２と、表示入力部３とを備える。本体筐体１０には、前扉１１が、撮像部１の撮像方向に開閉可能に設けられている。更に、本体筐体１０の前扉１１の下部に、撮像方向にスライドして引出し可能な踏台部３０が設けられている。【選択図】  図１
2005300632.tif 000002
【特許請求の範囲】
【請求項１】
一定の高さに固定されて被写体を撮像する撮像部と、
スライド動作により筐体部に収納された第１の状態と前記筐体部から引き出された第２の状態とを取りうる踏台部と、
を備える自動撮像装置。
【請求項２】
前記筐体内部に引き出し可能に設けられた部品を更に有し、前記部品が引き出されるとき、前記踏台部が連動して引き出される請求項１記載の自動撮像装置。
【請求項３】
前記第１の状態において前記踏台部と前記筐体部とを係合するロック機構と、
前記部品の引き出し時に前記ロック機構を解除する解除機構と、
を更に備える請求項２記載の自動撮像装置
【請求項４】
前記筐体内部に、傾斜部を有して設けられたスライドガイド部をさらに備え、
前記スライド動作は前記スライドガイド部材に沿って行われ、前記傾斜部により前記踏台部は、前記第１の状態より前記第２の状態の方が高さ方向の位置が低くなる請求項１ないし３のいずれか一項記載の自動撮像装置。
【請求項５】
前記第２の状態において、前記踏台部の底面は、装置の設置面に接触している請求項４記載の自動撮像装置。
【請求項６】
前記第２の状態以外において、前記踏台部の底面は、装置の設置面から離間している請求項４または５記載の自動撮像装置。
【発明の詳細な説明】
【技術分野】
【０００１】
本発明は、利用者の顔写真等を撮像する自動撮像装置に関する。
【背景技術】
【０００２】
従来、プリントクラブ（登録商標）等に代表される自動撮像装置は、固定されたカメラを備えており、利用者側が固定されたカメラの撮像範囲に合わせて立ち位置や顔の位置を調整して撮像するのが一般的である。
【０００３】
このような自動撮像装置は子どもから大人まで利用可能であるため、利用者の背の高さにばらつきがある。カメラの撮像範囲を標準的な身長の人物に合わせた場合には、背の低い利用者等、標準的な身長ではない利用者は、何らかの手段を用いて高さ方向を調整する必要がある。
【０００４】
背の低い利用者による高さ調整のための手段としては、自動撮像装置と分離された踏台等の上に立って、調整するものが考えられる。しかしながら、撮像する度に踏台を準備すること、撮像終了後にその都度片づけなければならないことから、利用者または自動撮像装置の設置者等の手を煩わせてしまうという事情があった。
【０００５】
なお、特許文献１には、収納可能な踏台を備えた厨房家具が開示されている。
【特許文献１】特開昭６２―２９０４０９号公報
【発明の開示】
【発明が解決しようとする課題】
【０００６】
本発明は、上記従来の事情に鑑みてなされたものであって、容易に高さ調整を行って撮像できる自動撮像装置を提供することを目的とする。
【課題を解決するための手段】
【０００７】
本発明の自動撮像装置は、
一定の高さに固定されて被写体を撮像する撮像部と、
スライド動作により筐体部に収納された第１の状態と前記筐体部から引き出された第２の状態とを取りうる踏台部と、
を備える。
【０００８】
この構成により、自動撮像装置に収納可能な踏台部を設けたので、たとえば、背の低い利用者も、容易に高さ調整を行って撮像できる。
【０００９】
また、本発明の自動撮像装置は、前記筐体内部に引き出し可能に設けられた部品を更に有し、前記部品が引き出されるとき、前記踏台部が連動して引き出される。
【００１０】
この構成により、部品が比較的質量の重い場合でも、踏台部が連動して自動的に引き出されるので、装置の重量バランスを安定させることができる。
【００１１】
また、本発明の自動撮像装置は、
前記第１の状態において前記踏台部と前記筐体部とを係合するロック機構と、
前記部品の引き出し時に前記ロック機構を解除する解除機構と、
を更に備える。
【００１２】
この構成により、踏台部が筐体内部に収納されているときには不用意に引き出されることを防止することが可能となるとともに、部品を引き出すときには連動して引き出すことができる。
【００１３】
また、本発明の自動撮像装置は、
前記筐体内部に、傾斜部を有して設けられたスライドガイド部をさらに備え、
前記スライド動作は前記スライドガイド部材に沿って行われ、前記傾斜部により前記踏台部は、前記第１の状態より前記第２の状態の方が高さ方向の位置が低くなる。
【００１４】
この構成により、スライド動作をガイドするガイド部が設けられているので、スライド動作をスムーズに行うことができる。
【００１５】
また、本発明の自動撮像装置は、前記第２の状態において、前記踏台部の底面は、装置の設置面に接触している。
【００１６】
この構成により、踏台部が引き出された状態では、装置設置面に接触しているため、安定した踏台機能を提供することができる。
【００１７】
また、本発明の自動撮像装置では、前記第２の状態以外において、前記踏台部の底面は、装置の設置面から離間している。
【００１８】
この構成により、例えば、踏台部を引き出すときに設置面に対する摩擦が発生しないため、スムーズに引き出し動作を行うことができる。
【発明の効果】
【００１９】
本発明によれば、容易に高さ調整を行って撮像できる自動撮像装置を提供することができる。
【発明を実施するための最良の形態】
【００２０】
図１は、本発明の実施形態を説明するための自動撮像装置の外観斜視図である。図１に示すように、本実施形態の自動撮像装置は、被写体を撮像する、例えばデジタルカメラ等の撮像部１と、撮像時等に被写体を照らす照明部２と、撮影の案内や撮影時の被写体の確認用画像等を表示すると共に、利用者等の操作を受付けるタッチパネルを有して構成される表示入力部３とを備える。本実施形態の自動撮像装置は、被写体となる利用者の顔写真を撮像して取り込んだ写真画像を、複数の印刷媒体サイズに対して印刷媒体毎に指定する印刷位置へモノクロやカラーで合成印刷し、顔写真付切手や顔写真付き官製はがきを提供することが可能なものである。
【００２１】
本体筐体１０には、前扉１１が、撮像部１の撮像方向に開閉可能に設けられている。更に、本体筐体１０の前扉１１の下部に、撮像方向（以下、手前方向という）にスライドして引出し可能な踏台部３０が設けられている。
【００２２】
図２は、本発明の実施形態の自動撮像装置の踏台部付近を拡大した外観斜視図であり、図２（Ａ）は踏台部が収納された状態、図２（Ｂ）は踏台部が引出された状態をそれぞれ示す。図２（Ａ）に示すように、踏台部３０は、収納されている状態において、手前方向前面に、踏台ロック解除押圧部４１および踏台取手部３１が設けられている。
【００２３】
踏台部３０は、不用意に引き出されることを防ぐために、収納時には本体筐体１０にロックされている。踏台ロック解除押圧部４１が下方向に押圧されると、踏台部３０は本体筐体１０とのロックが解除される。そして、踏台ロック解除押圧部４１を下方向に押圧してロックを解除した状態で、踏台取手部３１を持って踏台部３０を手前方向に引出すことにより、図２（Ｂ）に示すように、踏台部３０が引出される。
【００２４】
図３は、本発明の実施形態の自動撮像装置の内蔵機器を引出した状態を示す外観斜視図である。図３に示すように、本実施形態の自動撮像装置１には、その内蔵機器として、本体筐体１０にスライド可能に取付けられた棚板部５０上に設置された印刷装置４が内蔵されている。印刷装置４は、前扉１１を開けて棚板部５０を手前方向に引出すことで外部に露出し、消耗品の補給や修理等を行うことができる。なお、棚板部５０を引き出す場合には、棚板ロックレバー５１を内側に倒してロックを解除してから引き出す。
【００２５】
また、本実施形態では、踏台部３０が収納されている状態で棚板部５０を引出した場合、棚板部５０に連動して踏台部３０も自動的に引出される。したがって、棚板部５０が引出されると踏台部３０も引き出され、棚板部５０にかかる内蔵機器の重量を踏台部３０に逃がすことができるので、内蔵機器が引き出された状態における自動撮像装置の重量バランスを安定させることができる。
【００２６】
図４は、本実施形態の自動撮像装置の要部を示す分解斜視図である。図４に示すように、踏台部３０は、踏台取手部３１に加え、踏台ローラ部３２ａ、３２ｂが取り付けられている。踏台ローラ部３２ａ、３２ｂは、本体筐体１０内部に水平方向に設けられた支持台部２１および本体筐体１０の両側の内壁に設けられた踏台ガイド部材２２に回転可能に保持されており、踏台部３０は支持台部２１および踏台ガイド部材２２にスライド可能に取付けられる。なお、支持台部２１には、手前方向に下る傾斜部２１ａおよび２１ｂが設けられている。
【００２７】
さらに、踏台部３０は、上述のロック解除押圧部４１を有し、収納時の本体筐体１０へのロックおよびそのロックの解除を行う踏台ロックレバー４０を備える。ここで、踏台部３０は、上方向から見て、切欠き状の領域３４を有するコの字上に形成されている。
【００２８】
棚板部５０の両側面には、本体筐体１０の両側の内壁に設けられた摺動可能なレール部材２３が取付けられ、棚板部５０が略水平方向に引き出し可能となっている。棚板部５０の底板の裏面側には、棚板支持部材６０が設けられている。棚板支持部材６０は、棚板部５０および踏台部３０が収納されているときには踏台部３０の領域３４に位置する。そして、棚板部５０および踏台部３０が引出された状態では、踏台部３０の上面に接する。
【００２９】
図５は、本発明の実施形態の踏台部のロック機構を示す図であり、図６は、本発明のロックレバーおよび棚板支持部材を示す外観斜視図である。図５に示すように、踏台ロックレバー４０には、カムレバー４２およびバイアスバネ４３が取付けられ、支点シャフト４４を軸として、踏台ロックレバーの両端であるロック解除押圧部４１とカムレバー４２が取付けられる部分とにおいて、いずれか一方に上下方向の力が加わった場合、他方はその逆の方向に動く。なお、支点シャフト４４は、踏台部３０の支点シャフト固定部３３に取り付けられている。
【００３０】
踏台ロックレバー４０のカムレバー４２側の端部は、踏台部３０が収納状態において、本体筐体１０の支持台部２１に立設されたストッパ部２４と係合し、そのままの引出しを防ぐようにロックがかかっている。この踏台ロックレバー４０およびストッパ部２４はロック機構の機能を有している。そして、ロック解除押圧部４１を下方向に押圧すると、カムレバー４２側の端部が上方向に上がり、ロックが解除され、そのまま踏台部３０が引出せる状態となる。
【００３１】
一方、図６に示すように、棚板支持部材６０は、カムシャフト６１と棚板ローラ部６２とを備える。棚板部５０を手前方向に引出すと、図５、図６に示すように、棚板支持部材６０が矢印方向（手前方向）に移動する。そして、棚板支持部材６０について、カムシャフト６１が踏台ロックレバー４０のカムレバー４２に接触した場合には、カムレバーが矢印方向に押され、すなわち、踏台ロックレバー４０のカムレバー４２側の端部が上方向に動く。このとき、ロック解除押圧部４１は下方向へ動く。このようにして、棚板部５０を手前方向に引出すことにより棚板支持部材６０が手前方向に移動すると、ロック解除押圧部４１を下方向に押した場合と同様に、踏台ロックレバー４０と本体筐体１０とのロック機構が解除され、踏台部３０を引出すことが可能な状態となる。この棚板支持部材６０および踏台ロックレバー４０はロック解除機構の機能を有している。
【００３２】
続いて、本実施形態における踏台部および棚板部の動作について説明する。図７は、踏台部および棚板部が本体筐体部に収納されている状態を示す側面図である。図７に示すように、踏台部３０および棚板部５０が収納されている状態では、踏台部３０は支持台部２１上に位置し、踏台ロックレバー４０は、支持台部２１に立設されたストッパ部２４に係合している。また、棚板部５０に取り付けられた棚板支持部材６０は図４に示す領域３４に位置し、カムシャフト６１の手前方向前方に、踏台ロックレバー４０のカムレバー４２がある。
【００３３】
なお、踏台部３０は本体筐体１０の内部の支持台部２１に支えられており、踏台脚部３５は、地面等の設置面より高さｈだけ高く位置し、設置面とは接触せず、離間している。
【００３４】
図８は、本実施形態の棚板部が本体筐体部から引出される途中の状態を示す側面図である。図８に示すように、棚板部５０を手前方向（図中の矢印方向）に移動すると、棚板部に取り付けられている棚板支持部材６０も同様に移動する。そして、図５および図６を用いて説明したように、棚板支持部材６０のカムシャフト６１が、踏台ロックレバー４０のカムレバー４２に当接すると、カムレバー４２には矢印で示すように上方向に力が加わる。その結果、支点シャフト４４を軸として、踏台ロック解除押圧部４１は矢印で示すように下方向に動き、カムレバー４２側の端部は上に動く。そして、カムレバー４２側の端部が上方向に動くことにより、ストッパ部２４との係合が解除され、踏台部３０が引き出し可能な状態となる。
【００３５】
その後、このまま棚板部５０を引き出すと、棚板支持部材６０のカムシャフト６１が踏台ロックレバー４０のカムレバー４２を棚板部５０の引き出し方向へ押しながら移動するので、踏台部３０もそれに連れて引き出される。そして、踏台部３０の踏台ローラ部３２ａが傾斜部２１ａに、踏台ローラ部３２ｂが傾斜部２１ｂに差し掛かると、踏台部３０の高さ方向の位置は、その傾斜に従って下がっていく。
【００３６】
一方、棚板部５０および棚板支持部材６０は、棚板用レール部材２３（図４参照）に沿って移動するので、高さ方向の位置に変化はない。したがって、支持台部２１の傾斜部２１ａ、２１ｂに起因した高さ変化が一定以上になると、棚板支持部材６０のカムシャフト６１と踏台ロックレバー４０のカムレバー４１との当接が解除され、踏台ロックレバー４０の状態（支点シャフト４４を軸とした、両端部の位置）は、図７に示す元の状態に戻る。
【００３７】
図９は、本実施形態の踏台部および棚板部が完全に引き出されている状態を示す側面図である。上述したように、踏台部３０が完全に引き出された状態では、踏台ロックレバー４０の状態は元の状態に戻る。そして、踏台部３０は、収納時と比較して、高さ方向の位置が、傾斜部２１ａ、２１ｂの高さの分だけ低くなる。その結果、脚部３５が自動撮像装置の設置面に接することになる。すなわち、収納時における踏台脚部３５の裏面が設置面からｈだけ上方にあるとすれば、傾斜部２１ａ、２１ｂの高さはほぼｈである。
【００３８】
そして、踏台脚部の裏面が自動撮像装置設置面に接すると、棚板支持部材６０の棚板支持ローラ部６２は、踏台部３０の上に乗って移動して引き出される。従って、棚板部５０に載置された印刷部等の内蔵機器が引き出されたときに、棚板部５０と連動して踏台部３０が引き出され、かつ、踏台部３が内蔵機器の重さを支持することが可能となっている。
【００３９】
なお、踏台部３０および棚板部５０を引き出した状態から、収納状態へ戻す場合には、まず、棚板部５０をまず収納し、その後、踏台部３０を収納する。踏台部３０を収納するときには、引き出すときと同様に、踏台ロック解除押圧部４１を下方向に押圧しつつ、収納方向に踏台部を押す。
【００４０】
また、踏台部３０のみを引き出す場合には、踏台ロック解除押圧部４１を下方向に押圧しつつ引き出し方向に引くことにより、引き出すことができる。
【００４１】
このような本発明の実施形態の自動撮像装置によれば、自動撮像装置に収納可能な踏台部を設けたので、たとえば、背の低い利用者も、容易に高さ調整を行って撮像できる。
【００４２】
また、図３に示すように、カラープリンタ等の内蔵機器は、比較的質量が大きく、消耗品補給や、保守点検時に機器を引出せた方が作業を行わなければならない反面、引出したことによる重心の移動により自動撮像装置が傾いて転倒しないように支える必要がある。  本発明の実施形態によれば、棚板を引き出すと、自動的に踏台も引き出され、さらに、引き出した状態で棚板の少なくとも一部は踏台上に位置するため、質量の大きなユニットを支えることが可能となり、より安全な装置を提供することができる。
【００４３】
また、踏台部の引き出し時には、踏台を地面等の装置設置面に接せず、引き出された状態では装置設置面に接するので、引き出し時には設置面に対する摩擦が発生しないため、スムーズに引き出すことができる。また、引き出された状態では、設置面に接することにより、踏台としての機能を安定して果たすことができる。
【００４４】
なお、上述の自動撮像装置に設けられた踏台および／または棚板の機構については、自動撮像装置の踏台、棚板に限るものではなく、例えば、外食ＰＯＳオーダー装置のように表示入力部の高さが一定（固定）であり、表示入力操作によってオーダー用紙が発行されるようなシステム機器等、他の機器にも適用可能である。
【産業上の利用可能性】
【００４５】
本発明は容易に高さ調整を行って撮像できる効果を有し、自動撮像装置等に有用である。
【図面の簡単な説明】
【００４６】
【図１】本発明の実施形態を説明するための自動撮像装置の外観斜視図
【図２】本発明の実施形態の自動撮像装置の踏台部付近を拡大した外観斜視図
【図３】本発明の実施形態の自動撮像装置の内蔵機器を引出した状態を示す外観斜視図
【図４】本実施形態の自動撮像装置の要部を示す分解斜視図
【図５】本発明の実施形態の踏台部のロック機構を示す図
【図６】本発明のロックレバーおよび棚板支持部材を示す外観斜視図
【図７】踏台部および棚板部が本体筐体部に収納されている状態を示す側面図
【図８】本実施形態の棚板部が本体筐体部から引出される途中の状態を示す側面図
【図９】本実施形態の踏台部および棚板部が完全に引き出されている状態を示す側面図
【符号の説明】
【００４７】
１  撮像部
２  照明部
３  表示入力部
４  印刷部
１０  本体筐体
１１  前扉
２１  支持台部
２１ａ、２１ｂ  傾斜部
２２  踏台ガイド部材
２３  棚板用レール部材
２４  ストッパ部
３０  踏台部
３１  踏台取手部
３２ａ、３２ｂ  踏台ローラ部
３３  支点シャフト固定部
３５  踏台脚部
４０  踏台ロックレバー
４１  踏台ロック解除押圧部
４２  カムレバー
４３  バイアスバネ
４４  支点シャフト
５０  棚板部
５１  棚板ロックレバー
６０  棚板支持部材
６１  カムシャフト
６２  棚板支持ローラ部
【図１】
2005300632.tif 000003
【図２】
2005300632.tif 000004
【図３】
2005300632.tif 000005
【図４】
2005300632.tif 000006
【図５】
2005300632.tif 000007
【図６】
2005300632.tif 000008
【図７】
2005300632.tif 000009
【図８】
2005300632.tif 000010
【図９】
2005300632.tif 000011